(57)【要約】【課題】測定者が表示部に表示される各種の値を目視で確認しなくてもリラックスした状態で、音声によるガイドと音楽によるガイドにより各種の値を認識することができる電子血圧計を提供する。【解決手段】電子血圧計１は、上腕Ｔを挿入するための腕帯部２と、腕帯部２に空気を導入して上腕Ｔを加圧して血管情報を検出して、血管情報から血圧値を決定する血圧計本体部１０であって、最高血圧値と最低血圧値が演算されるまで音楽を流す音楽選択モードＭ２と、加圧した上腕の減圧時に減圧値を音声でガイドして最高血圧値が決定したら最高血圧値を音声でガイドする音声ガイド選択モードＭ３とを選択可能な血圧計本体部１０とを備える。【選択図】図５
2010213786.tif 000002
【特許請求の範囲】
【請求項１】
上腕を挿入するための腕帯部と、
前記腕帯部に空気を導入して前記上腕を加圧して血管情報を検出して、前記血管情報から血圧値を決定する血圧計本体部であって、
最高血圧値と最低血圧値が演算されるまで音楽を流す音楽選択モードと、加圧した前記上腕の減圧時に減圧値を音声でガイドして最高血圧値が決定したら前記最高血圧値を音声でガイドする音声ガイド選択モードとを選択可能な前記血圧計本体部と
を備えることを特徴とする電子血圧計。
【請求項２】
前記血圧計本体部において前記音楽選択モードを選択した時には、前記最高血圧値と前記最低血圧値を演算後に、前記最高血圧値、前記最低血圧値、脈拍値、脈圧の少なくとも１つを前記音声でガイドすることを特徴とする請求項１に記載の電子血圧計。
【請求項３】
前記血圧計本体部では、前記最高血圧値を音声でガイドし、前記上腕を加圧している空気を急排気する最高血圧モードを選択可能であることを特徴とする請求項１または請求項２に記載の電子血圧計。
【請求項４】
前記血圧計本体部では、前記腕帯部により加圧時に前記最低血圧値を演算して、前記最低血圧値を音声でガイドし、前記上腕を加圧している空気を急排気する最低血圧モードを選択可能であることを特徴とする請求項１〜請求項３のいずれか１つの項に記載の電子血圧計。
【請求項５】
前記腕帯部と前記血圧計本体部が別体になっていることを特徴とする請求項１〜請求項４のいずれか１つの項に記載の電子血圧計。
【請求項６】
前記腕帯部は前記血圧計本体部の内部に配置されていることを特徴とする請求項１〜請求項４のいずれか１つの項に記載の電子血圧計。
【請求項７】
前記血圧計本体部は、コロトコフ音（Ｋ音）を検出して血圧測定を行うことを特徴とする請求項１〜請求項６のいずれか１つの項に記載の電子血圧計。
【発明の詳細な説明】
【技術分野】
【０００１】
本発明は、電子血圧計に関し、特に測定者が血圧測定中に音楽によるガイドと音声によるガイドを行うことで測定者が正しい姿勢で血圧測定をすることができる電子血圧計に関するものである。
【背景技術】
【０００２】
カフを巻きつけないで上腕を挿入して血圧測定する電子血圧計では、カフ内に測定者の上腕を挿入して、カフを加圧し始めるときから表示部に表示される圧力値を見ながら、血圧測定を行う。そして、カフの減圧が終了して、最高血圧、最低血圧が算出され、それらの値が表示部に表示される。（例えば、特許文献１を参照）。
【先行技術文献】
【特許文献】
【０００３】
【特許文献１】特開平７―２８４４８０号公報
【発明の概要】
【発明が解決しようとする課題】
【０００４】
しかし、測定者がこのような電子血圧計を使用して最高血圧値と最低血圧値を測定する場合には、測定者は、前かがみになった不自然な姿勢で、測定中のカフの値、算出された最高血圧，最低血圧を目視で確認しようとする。
測定者が前かがみになり測定者の姿勢が悪いと、測定者の腹部大動脈が圧迫されてしまい。測定者がリラックスできないばかりか最高血圧値と最低血圧値が上昇してしまう。従って、従来の電子血圧計では、正確な最高血圧値と最低血圧値が得られないおそれがある。
そこで、上記課題を解消するために、本発明は、測定者が表示部に表示される各種の値を目視で確認しなくてもリラックスした状態で、音声によるガイドと音楽によるガイドにより各種の値を認識することができる電子血圧計、特にコロトコフ音方式による電子血圧計を提供することを目的とする。
【課題を解決するための手段】
【０００５】
本発明の電子血圧計は、上腕を挿入するための腕帯部と、腕帯部に空気を導入して上腕を加圧して血管情報を検出して、血管情報から血圧値を決定する血圧計本体部であって、最高血圧値と最低血圧値が演算されるまで音楽を流す音楽選択モードと、加圧した前記上腕の減圧時に減圧値を音声でガイドして最高血圧値が決定したら前記最高血圧値を音声でガイドする音声ガイド選択モードと、を選択可能な前記血圧計本体部とを備えることを特徴とする。
上記構成によれば、測定者が表示部に表示される各種の値を目視で確認しなくてもリラックスした状態で、音声によるガイドと音楽によるガイドにより各種の値を認識することができる。
【０００６】
本発明の電子血圧計は、血圧計本体部において音楽選択モードを選択した時には、最高血圧値と最低血圧値を演算後に、最高血圧値、最低血圧値、脈拍値、脈圧の少なくとも１つを前記音声でガイドすることを特徴とする。
上記構成によれば、測定者に対して、さらに音声により最高血圧値、最低血圧値、脈拍値、脈圧の少なくとも１つをガイドできるので、測定者が表示部に表示される各種の値を目視で確認しなくても良くリラックスした状態になる。
【０００７】
本発明の電子血圧計は、血圧計本体部では、最高血圧値を音声でガイド後に、上腕を加圧している空気を急排気する最高血圧モードを選択可能であることを特徴とする。
上記構成によれば、測定者に対して最高血圧値を音声でガイドした後に、腕帯部のカフの加圧を急速に解消できるので、測定者に対する負担を軽減できる。
【０００８】
本発明の電子血圧計は、血圧計本体部では、腕帯部により加圧時に最低血圧値を演算して、最低血圧値を音声でガイドし、上腕を加圧している空気を急排気する最低血圧モードを選択可能であることを特徴とする。
上記構成によれば、測定者に対して最低血圧値を音声でガイド後に、腕帯部のカフの加圧を急速に解消できるので、測定者に対する負担を軽減できる。
【０００９】
本発明の電子血圧計では、腕帯部と血圧計本体部が別体になっていることを特徴とする。
上記構成によれば、測定者は腕帯部だけをもって上腕を通すだけで血圧測定ができる。
本発明の電子血圧計では、腕帯部は血圧計本体部の内部に配置されていることを特徴とする。
上記構成によれば、腕帯部と血圧計本体部が別体であるのに比べて、部品点数を減らすことができる。
本発明の電子血圧計では、血圧計本体部は、コロトコフ音（Ｋ音）を検出して血圧測定を行うことを特徴とする。
上記構成によれば、コロトコフ音を用いて血圧値等を検出できる。
【発明の効果】
【００１０】
本発明は、測定者が表示部に表示される各種の値を目視で確認しなくてもリラックスした状態で、音声によるガイドと音楽によるガイドにより各種の値を認識することができる電子血圧計を提供することができる。
【図面の簡単な説明】
【００１１】
【図１】本発明の電子血圧計の好ましい実施形態を示す斜視図。
【図２】図１に示す電子血圧計の血圧計本体部の構造例を示す平面図。
【図３】図１の電子血圧計の回路ブロックを示す図。
【図４】図１の電子血圧計の回路ブロックを示す図。
【図５】図１の電子血圧計における血圧測定プログラムの手順を示すフロー図。
【図６】本発明の電子血圧計の好ましい別の実施形態を示す斜視図。
【発明を実施するための形態】
【００１２】
以下に、本発明の好ましい実施形態を、図面を参照して詳しく説明する。
図１は、本発明の電子血圧計の好ましい実施形態を示す斜視図である。
図１に示す電子血圧計１は、血圧測定方式の一例としてリバロッチ・コロトコフ法が用いられ、コロトコフ音（Ｋ音）を検出して血圧測定を行う装置である。図１に示す電子血圧計１は、腕帯部２と、血圧計本体部１０を備えている。電子血圧計１では、腕帯部２は、血圧計本体部１０とは別体になっている。腕帯部２と血圧計本体部１０とは有線（電気信号線）３により電気的に接続され、しかも腕帯部２と血圧計本体部１０とがエアーの給排気路であるフレキシブルなチューブ４により接続されている。
【００１３】
まず、図１を参照して、腕帯部２の構造について説明する。
図１に示すように、腕帯部２は、血圧測定時に測定者の上腕Ｔを挿入して圧迫するために、上腕Ｔを差し込む構造を有している。これにより、この腕帯部２は、通常の腕帯と異なり測定者の上腕Ｔに対して腕帯を巻き付ける必要が無く、左右のいずれの上腕Ｔでも容易に血圧測定が可能である。
図１に示す腕帯部２は、ほぼ円筒状のハウジング１１と、可撓性を有しており、２５０ｍｍＨｇ程度までの加圧に対して、膨張と収縮が可能な、塩化ビニル，合成ゴム，天然ゴムなどで形成されるカフ１２と、２つのマイクロフォン１３，１４と、ノイズセンサ１５を有している。ハウジング１１は、例えばプラスチック製であり、Ｄ１方向に向けて僅かに先細りに形成されている。ハウジング１１は、測定者の上腕ＴをＤ１方向に差し込むための貫通した開口部１６を有している。この開口部１６内には、カフ１２が収容されている。腕帯部２は、さらに、このカフ１２を覆い、上腕Ｔを挿入する挿入孔１７に着脱自在なカフリング１２ａを備えている。このカフリング１２ａは、カフ１２を保護すると同時に、上腕Ｔの挿入孔１７への出し入れを容易にするため、両端部はＯ−リングで形成され、長さ方向Ｗ，円周方向Ｒのいずれにも伸縮自在なナイロン，スパンデックスなどのすべり性のあるストレッチ素材で形成している。カフ１２内へは、血圧計本体部１０内の破線で示すポンプ４４，４５の作動によりチューブ４を通じてエアーを供給してハウジング１１内の上腕Ｔを圧迫でき、あるいはカフ１２内からエアーを徐々に排気したり、あるいはカフ１２内からエアーを急排気できる。
【００１４】
図１に示すハウジング１１は、例えば、該ハウジング１１上端の奥側で起立したほぼ扇型の把持部１８を有している。例えば、左腕の上腕ＴをＤ１方向に挿入孔１７に対して挿入し逆にＤ２方向に上腕Ｔを外す動作は、右手でこの把持部１８を持って行うことができる。また、右腕の上腕ＴをＤ１方向に挿入穴７に挿入し逆にＤ２方向に上腕Ｔを外す動作は、左手でこの把持部１８を持って行うことができる。これにより、測定者は左右いずれの上腕Ｔに対しても、腕帯部２の装着動作あるいは取り外し動作を容易に行うことができる。
【００１５】
次に、図１と図２を参照して、血圧計本体部１０の構造について説明する。
図２は、図１に示す血圧計本体部１０の構造を平面図である。
図１と図２に示す血圧計本体部１０は、ケーシング３０と表示部３１を有している。ケーシング３０は、例えばプラスチック製の薄型の部材であり、上面部３２と、前端面部３３と後端面部３４と、側面部３５，３６と、底面部４２を有している。
図１と図２に示すように、上面部３２には、開始／停止ボタン３７と、音量ボタン３８と、モード選択ボタン３９と、窪み部分４０と、表示部３１が配置されている。開始／停止ボタン３７は測定者が押すことで、血圧測定操作の開始あるいは停止をするためのボタンである。音量ボタン３８は、後で説明する音楽によるガイドの音量と音声によるガイドの音量を調整するボタンである。モード選択ボタン３９は、繰り返して押すことで後で説明する５つの血圧測定モードの内のいずれか１つを選択できるボタンである。
【００１６】
上面部３２の中央部分であって窪み部分４０の内部には、開始／停止ボタン３７が配置されている。窪み部分４０と後端面部３４の間には、表示部３１が配置されている。この表示部３１は、例えば液晶表示装置を用いることができ、一例として図１に示すように最高血圧値、最低血圧値、脈拍数、脈圧、測定動作中の表示マーク、電池交換の表示マーク等の各種の測定値等を表示することができる。窪み部分４０には、溝部分４１が形成されている。使用しない時には、有線３とチューブ４の一部をこの溝部分４１に挟み込むことで、腕帯部２と血圧計本体部１０が離れないようにしまっておくことができる。
【００１７】
図２に示すように、測定者が血圧計本体部１０を持ち易いようにするために、側面部３５，３６は曲面状に形成されている。音量ボタン３８とモード選択ボタン３９は、上面部３２の後端面部３４付近に配置されている。ケーシング３０の内部には、破線で示すように、スピーカ４３と、２つのポンプ４４，４５と、排気バルブ４６と、制御バルブ４７と、回路基板４８が配置されている。スピーカ４３は、音声によるガイドや音楽によるガイドを出力するために設けられている。
【００１８】
次に、図３と図４を参照して、図１に示す電子血圧計１の回路ブロックを説明する。図３と図４は、電子血圧計１の回路ブロックを示している。図３では、各要素をより具体的に示し、図４では図３に示す各要素をより分かりやすいようにするためにブロックだけで示している。
図３と図４の電子血圧計１の回路ブロックの破線で示すように、血圧計本体部１０は、コロトコフ音（Ｋ音）検出システム５０と、加圧システム５１と、排気システム５２と、圧力検出システム５３と、電源システム５４と、音声システム５５と、制御システム５６を有する。
【００１９】
制御システム５６は、表示部３１の駆動部５８と、タイマ５９と、メモリ部６９等を有する。表示部３１の駆動部５８は、表示部３１を駆動制御して表示すべき項目を表示させる。メモリ部６９は、制御システム５６のＣＰＵ（中央処理部）により処理すべきプログラムが記憶されているＲＯＭ（読み出し専用メモリ）である。タイマ５９は、各種の動作の時間のカウントを行う。操作部５７は、制御システム５６に電気的に接続されており、すでに説明した開始／停止ボタン３７と、音量ボタン３８と、モード選択ボタン３９を有している。
【００２０】
図３と図４に示すコロトコフ音（Ｋ音）検出システム５０は、腕帯部２に収納されたカフ１２内の例えば２つのマイクロフォン１３，１４と、Ｋ音検出回路部６０と、ノイズセンサ１５と、ノイズセンサ検出回路部６１を有している。２つのマイクロフォン１３，１４は、Ｋ音検出回路部６０を介して制御システム５６に電気的に接続されている。
図１に示すように、２つのマイクロフォン１３，１４は、開口部１６に対して互いに対向した位置（上腕Ｔの動脈に近い位置と遠い位置）に配置されている。
【００２１】
２つのマイクロフォン１３，１４は、測定者の血流音（血管情報）を検知し、Ｋ音検出回路部６０はこの血流音からＫ音を検出して制御システム５６にＫ音信号を伝える。制御システム５６は、入力されたＫ音信号からコロトコフ音と、このコロトコフ音の発生ポイントと、消滅ポイントを検出する。ノイズセンサ１５は、外部からマイクロフォン１３，１４に入る振動ノイズを検知して、ノイズセンサ検出回路部６１を介して制御システム５６にノイズ信号を送る。これにより、制御システム５６は、Ｋ音信号からノイズを除去することで、Ｋ音検出信号の精度を高めている。
【００２２】
図３と図４に示す圧力検出システム５３は、配管部６３と、圧力センサ６４と、腕帯部２に収納されたカフ１２内により構成されている。圧力センサ６４は、アンプ、フィルタ、積分Ａ／Ｄ部６５を介して制御システム５６に電気的に接続されている。制御システム５６は、Ｋ音信号を検出する。
すなわち、加圧して血管内の血流を止めた後に減圧し、再び血流が流れる時の最初のＫ音信号が検出された時点の圧力を最高血圧値に設定し、更に減圧を続けて血管の管路断面積が十分に拡がり、Ｋ音信号が検出されなくなったら、最後のＫ音信号が検出された時点の圧力を最低血圧値に設定する。また、制御システム５６は、最高血圧値と最低血圧値から得られる血管脈動またはＫ音信号の出現間隔から脈拍数を演算する。
【００２３】
加圧システム５１は、ポンプ４４，４５と、ポンプの駆動部６２を有する。制御システム５６の指令により、駆動部６２は、ポンプ４４，４５を駆動制御する。ポンプ４４，４５は、圧力検出システム５３の配管部６３を通じて腕帯部２のカフ１２内に接続されている。
電子血圧計１では、腕帯部２内のカフ１２をポンプ４４，４５で加圧した後、微速度で排気して減圧しつつ圧力センサ６４を用いて腕帯部２内のカフ１２の圧力を検出すると同時に、マイクロフォンを用いてコロトコフ音（Ｋ音）を検出する。そして、電子血圧計１は、Ｋ音信号と、このＫ音信号の発生ポイントと消滅ポイントを検出することで、最高血圧値と最低血圧値を算出して、算出した最高血圧値と最低血圧値を表示部３１に表示できる。
【００２４】
次に、排気システム５２について説明する。排気システム５２は、２つの駆動部６６，６７と、排気バルブ（強制排気部）４６と、制御バルブ（減圧制御部）４７を有する。排気バルブ４６と、制御バルブ４７は配管部６３の途中に配置されている。制御システム５６が駆動部６６に指令をすることで、排気バルブ４６の開閉を行い、制御システム５６が駆動部６７に指令をすることで、制御バルブ４７の開閉を行う。  
【００２５】
電源システム５４は、電池６８と、電源コントロール部６９Ｃと、電源監視部７０を有する。電池６８は、繰り返して充電可能な二次電池として、例えばリチウムイオン電池であるが、特に種類は限定されず、乾電池等でも良い。電池６８の電圧は、電源コントロール部６９Ｃにより制御されて制御システム５６に供給されるとともに、ポンプ４４，４５の駆動電源、音声制御部７１へ供給する電源でもある。電源監視部７０は、電池６８の残量等の監視を行う。また、ＡＣアダプタを用いることで１００Ｖの商用電源を用いることができる。
【００２６】
音声システム５５は、音声制御部７１と、増幅部７２を有している。音声制御部７１と増幅部７２は、制御システム５６からの指令により制御される。音声制御部７１は、制御システム５６の指令により、音声によるガイダンスデータもしくは音楽データを増幅部７２に送って増幅することで、スピーカ４３は音声によるガイド用のアナウンスと音楽によるガイド用のアナウンスを発生することができる。
【００２７】
次に、上述した電子血圧計１を用いて、図５に示す血圧測定プログラムの手順に従って、血圧測定を行う。図５は、図１の電子血圧計１における血圧測定プログラムの手順を示すフロー図である。
図３と図４に示す制御システム５６は、メモリ部６９に記憶された血圧測定プログラムに従って、測定者が複数の選択モード、たとえば５つの選択モードを選択して血圧測定できるようになっている。測定者は、図１に示すモード選択ボタン３９を繰り返して押すことにより、この５つの選択モードを呼びだして選択する。
図５に示す血圧測定プログラムでは、通常モードＭ１、音楽の選択モードＭ２、音声ガイド選択モードＭ３、最高血圧モードＭ４、最低血圧モードＭ５を有する。以下に、これらのモードを順番に説明する。
【００２８】
（通常モードＭ１）
図５に示すステップＳ１において、測定者が図１に示すモード選択ボタン３９を押して通常モードＭ１を選択した場合には、ステップＳ２では測定者は図１の開始／停止ボタン３７を押して血圧測定を開始する。ステップＳ３では、図３のポンプ４４，４５が全速力でカフ１２を昇圧して、ステップＳ４では２つのマイクロフォン１３，１４が、測定者の血流音（血管情報）を検知して脈が消滅するまで全速力で腕帯部２内のカフ１２を昇圧する。ステップＳ５では、制御システム５６が脈の消失を判断したら腕帯部２内の昇圧を停止する。
そして、ステップＳ６では腕帯部２内のカフ１２を少しずつ減圧（例えば２〜５ｍｍＨｇ／秒）していき、ステップＳ７では最高血圧値と最低血圧値を検出する。ステップＳ８では、最高血圧値と最低血圧値を図３の表示部３１に表示して、ポンプ４４，４５と排気バルブ４６を作動して腕帯部２内のカフ１２を急排気する。このように、最高血圧値と最低血圧値を図３の表示部３１に表示できた時点で、腕帯部２内のカフ１２を急排気することで、測定者の上腕に対する圧迫を即座に解消できるので、測定者への負担を軽減できる。
【００２９】
（音楽の選択モードＭ２）
また、図５に示すステップＳ１において、測定者が図１に示すモード選択ボタン３９を押して音楽の選択モードＭ２を選択した場合には、ステップＳ２では測定者は図１の開始／停止ボタン３７を押して血圧測定を開始する。ステップＳ３では、図３のポンプ４４，４５がカフ１２を全速力で昇圧して、ステップＳ４では２つのマイクロフォン１３，１４が、測定者の血流音（血管情報）を検知して脈が消滅するまで全速力で腕帯部２内のカフ１２を昇圧する。このように、図３のポンプ４４，４５がカフ１２を全速力で昇圧を開始すると、ステップＳ９では図３のスピーカ４３が音楽を流す。ステップＳ５では制御システム５６が脈の消失を判断したら腕帯部２内のカフ１２の昇圧を停止し、音楽も止める。
【００３０】
そして、ステップＳ６では少しずつ減圧（例えば２〜５ｍｍＨｇ／秒）していき、ステップＳ７では最高血圧値と最低血圧値を検出する。この減圧の際にも、ステップＳ１０では減圧期間中は図３のスピーカ４３が音楽を流し続け、ステップＳ７において最高血圧値と最低血圧値が検出（演算）されるまでスピーカ４３が音楽を流す。
その後、ステップＳ１２では、図３のスピーカ４３は最高血圧値と、最低血圧値と、脈拍数と、脈圧の少なくとも１つを音声によるガイドでアナウンスして、ポンプ４４，４５と排気バルブ４６を作動して腕帯部２内のカフ１２を急排気する。これにより、最高血圧値と、最低血圧値と、脈拍数と、脈圧のうちのひとつ、あるいはこれらのうちの複数ないし全てを、音声によるガイドでアナウンスしながら腕帯部２内のカフ１２を急排気することで、測定者の上腕に対する圧迫を即座に解消できるので、測定者への負担を軽減できる。
【００３１】
このように、音楽選択モードＭ２では、スピーカ４３は、カフ１２の昇圧を開始してから最高血圧値と最低血圧値が演算されるまで音楽を流し続ける。そして、スピーカ４３は最高血圧値と最低血圧値を演算終了後、最高血圧値と、最低血圧値と、脈拍数と、脈圧の少なくとも１つを音声によるガイドでアナウンスして測定者に報知するようになっている。
これにより、測定者は、血圧測定中は、快い音楽によりリラックスした状態で血圧測定できる。そして、測定者に対して、さらに音声によるガイドにより前記最高血圧値、前記最低血圧値、脈拍値、脈圧の少なくとも１つをアナウンスできるので、測定者が表示部に表示される各種の値を目視で確認しなくても良くリラックスした状態になる。このように、測定者は、音楽を聞きながらリラックスして血圧測定でき、測定者が血圧値等を表示部３１において目視で前かがみになって確認する必要がない。従って、測定者の腹部大動脈が圧迫されず、最高血圧値と最低血圧値が上昇してしまうことがなくなり、正確な最高血圧値と最低血圧値が得られる。
【００３２】
（音声ガイド選択モードＭ３）  
さらに、図５に示すステップＳ１において測定者が図１に示すモード選択ボタン３９を押して音声ガイド選択モードＭ３を選択した場合には、ステップＳ２では測定者は図１の開始／停止ボタン３７を押して血圧測定を開始する。ステップＳ３では、図３のポンプ４４，４５が全速力でカフ１２を昇圧して、ステップＳ４では２つのマイクロフォン１３，１４が、測定者の血流音を検知して脈が消滅するまで全速力で昇圧する。制御システム５６が脈の消失を判断したら腕帯部２内の昇圧を停止する。
【００３３】
そして、ステップＳ６では少しずつ減圧（例えば５ｍｍＨｇ／秒）していき、ステップＳ１１では、図３のスピーカ４３が腕帯部２内のカフ１２の減圧時のカフ値毎に、例えば１０ｍｍＨｇ毎に圧力値を音声ガイドによりアナウンスする。ステップＳ７では最高血圧値と最低血圧値を検出する。その後、ステップＳ１２では、図３のスピーカ４３は最高血圧値と、最低血圧値と、脈拍数と、脈圧の少なくとも１つを音声ガイドによりアナウンスして、ポンプ４４，４５と排気バルブ４６を作動して腕帯部２内のカフ１２を急排気する。これにより、最高血圧値と、最低血圧値と、脈拍数と、脈圧の少なくとも１つを音声によるガイドでアナウンスしながら腕帯部２内のカフ１２を急排気することで、測定者の上腕に対する圧迫を即座に解消できるので、測定者への負担を軽減できる。
【００３４】
このように、音声ガイド選択モードＭ３では、図３のスピーカ４３がカフ減圧時のカフ値毎に音声によるガイドによりアナウンスでき、最高血圧値が決定したら直ちに最高血圧値を音声によるガイドによりアナウンスして測定者に報知することができる。測定者は、音声によるガイドを聞きながらリラックスして血圧測定でき、測定者が血圧値やカフ圧値等を表示部３１において目視で前かがみになって確認する必要がない。従って、測定者の腹部大動脈が圧迫されず、最高血圧値と最低血圧値が上昇してしまうことがなくなり、正確な最高血圧値と最低血圧値が得られる。測定者が表示部に表示される各種の値を目視で確認しなくてもリラックスした状態で、音声によるガイドでアナウンスすることにより各種の値を確実に認識できる。
【００３５】
（最高血圧モードＭ４）
図５に示すステップＳ１において測定者が図１に示すモード選択ボタン３９を押して最高血圧モードＭ４を選択した場合には、ステップＳ２では測定者は図１の開始／停止ボタン３７を押して血圧測定を開始する。ステップＳ３では、図３のポンプ４４，４５が全速力でカフ１２を昇圧して、ステップＳ４では２つのマイクロフォン１３，１４が、測定者の血流音を検知して脈が消滅するまで全速力で腕帯部２内のカフ１２を昇圧する。制御システム５６が脈の消失を判断したら腕帯部２内のカフ１２の昇圧を停止する。
【００３６】
そして、ステップＳ６では少しずつ減圧（例えば２〜５ｍｍＨｇ／秒）していき、ステップＳ１１では、図３のスピーカ４３が腕帯部２内カフ１２の減圧時のカフ値毎に、例えば１０ｍｍＨｇ毎に圧力値を音声によりアナウンスする。ステップＳ１３では最高血圧値だけを検出する。その後、ステップＳ１４では、図３のスピーカ４３は最高血圧値と脈拍数を音声によるガイドでアナウンスして、ポンプ４４，４５と排気バルブ４６を作動して腕帯部２内を急排気する。これにより、最高血圧値と脈拍数を音声によるガイドでアナウンスしながら腕帯部２内を急排気することで、測定者の上腕に対する圧迫を即座に解消できるので、測定者への負担を軽減できる。
このように、最高血圧モードＭ４では、最高血圧値を音声によるアナウンス後に、急排気することができる。これにより、測定者に対して最高血圧値を音声によるガイドでアナウンスした後に、腕帯部の加圧を急速に解消できるので、測定者に対する負担を軽減できる。測定者は、音声ガイドを聞きながらリラックスして最高血圧値の測定ができ、測定者が最高血圧値を表示部３１において目視で前かがみになって確認する必要がない。従って、測定者の腹部大動脈が圧迫されず、最高血圧値が上昇してしまうことがなくなり、正確な最高血圧値が得られる。測定者が表示部に表示される最高血圧値を目視で確認しなくてもリラックスした状態で音声によるガイドでアナウンスすることにより最高血圧値を確実に認識できる。
【００３７】
（最低血圧モードＭ５）
図５に示すステップＳ１において測定者が図１に示すモード選択ボタン３９を押して最高血圧モードＭ４を選択した場合には、ステップＳ２では測定者は図１の開始／停止ボタン３７を押して血圧測定を開始する。ステップＳ１５では、少しずつ昇圧（例えば５ｍｍＨｇ／秒）していき、ステップＳ１６では、図３のスピーカ４３が腕帯部２内のカフ１２の昇圧時のカフ値毎に、例えば１０ｍｍＨｇ毎に圧力値を音声アナウンスする。ステップＳ１７では最低血圧値を検出する。
その後、脈が消失したらステップＳ５ではカフ１２の昇圧を停止して、ステップＳ１８では図３のスピーカ４３が最低血圧値を音声によるガイドでアナウンスをするとともに、ポンプ４４，４５と排気バルブ４６を作動して腕帯部２内のカフ１２を急排気する。
【００３８】
このように、最低血圧モードＭ５では、最低血圧値をカフ圧加圧時に演算して、最低血圧値を演算後に、その最低血圧値を音声ガイドして急排気することができる。測定者に対して低血圧値を音声でガイドでアナウンス後に、腕帯部の加圧を急速に解消できるので、測定者に対する負担を軽減できる。測定者は、音声によるガイドでアナウンスを聞きながらリラックスして最低血圧値の測定ができ、測定者が最低血圧値を表示部３１において目視で前かがみになって確認する必要がない。従って、測定者の腹部大動脈が圧迫されず、最高血圧値が上昇してしまうことがなくなり、正確な最低血圧値が得られる。測定者が表示部に表示される最低血圧値を目視で確認しなくてもリラックスした状態で音声によるガイドでアナウンスすることにより最低血圧値を確実に認識できる。
【００３９】
次に、図６を参照して、本発明の電子血圧計の好ましい別の実施形態を説明する。図６は、本発明の好ましい別の実施形態を示す斜視図である。  
図１に示す電子血圧計１では、カフ１２が内蔵された腕帯部２は、血圧計本体部１０とは別体になっている。これに対して、図６に示す電子血圧計１Ａでは、カフ２Ｂが内蔵された腕帯部２Ａと血圧計本体部１０Ａが一体的に形成されている点が異なる。図６に示す電子血圧計１Ａでは、腕帯部２Ａが血圧計本体部１０Ａのケーシング１００内に内蔵されている。これにより、腕帯部２Ａに上腕Ｔを挿入することで血圧測定をすることができる。ケーシング１００内のケーシング１００の上部には、表示部３１Ａが配置されている。これにより、一体型の電子血圧計１Ａは、別体型の電子血圧計１に比べて、部品点数を減らすことができる。腕帯部２Ａは、さらに、このカフ２Ｂを覆い、上腕を挿入する挿入孔１７Ａに着脱自在なカフリング１２Ｃを備えている。このカフリング１２Ｃは、両端部はＯ−リングで形成され、長さ方向Ｗ，円周方向Ｒのいずれにも伸縮自在なナイロン，スパンデックスなどのすべり性のあるストレッチ素材で形成している。
【００４０】
ところで、本発明は上記実施形態に限定されず、種々の変形例を採用することができる。例えば、図示例では、把持部１８はほぼ扇型であるが、これに限らず任意の形状を採用できる。表示部３１は、例えば液晶表示装置の他に、有機ＥＬ装置、蛍光表示装置等、特に種類は限定されない。また、表示部に表示される圧力は、ディフォルトとしてｍｍＨｇ表示としているが、内部スイッチやモード選択ボタン３９などで、Ｐａ表示に変更できるようにしてもよい。また、ｍｍＨｇ表示とＰａ表示を交互に行なうようにしてもよいし、同時に表示するようにしてもよい。
上述した本発明の実施形態では、電子血圧計は、血圧測定方式としてリバロッチ・コロトコフ法が用いられ、コロトコフ音（Ｋ音）を検出して血圧測定を行うようになっているが、圧脈波（オシロメトリック法）等の他の血圧測定方式を採用しても良い。
【符号の説明】
【００４１】
１・・・電子血圧計、２・・・腕帯部、１０・・・血圧計本体部、１１・・・ハウジング、１２・・・カフ、１６・・・開口部、３０・・・ケーシング、３１・・・表示部、３７・・・開始／停止ボタン、３８・・・音量ボタン、３９・・・モード選択ボタン、４３・・・スピーカ、５０・・・コロトコフ音（Ｋ音）検出システム、５１・・・加圧システム、５２・・・排気システム、５３・・・圧力検出システム、５４電源システム、５５・・・音声システム、５６・・・制御システム、６９・・・メモリ部、Ｍ１・・・通常モード、Ｍ２・・・音楽の選択モード、Ｍ３・・・音声ガイド選択モード、Ｍ４・・・最高血圧モード、Ｍ５・・・最低血圧モード
【図１】
2010213786.tif 000003
【図２】
2010213786.tif 000004
【図３】
2010213786.tif 000005
【図４】
2010213786.tif 000006
【図５】
2010213786.tif 000007
【図６】
2010213786.tif 000008